(57)【要約】【課題】  第２のハウジング部分を特別な形状にすることなく、横方向部材を確実に支持するようにすること。【解決手段】  蓋状のハウジング部分（１３）と共に構成ユニットを形成するサーモスタット弁において、横方向部材（２４）はクリップ結合（３０、３１）によってハウジング部分に固定されており、かつフラップ（３３）を有し、そのフラップがハウジング部分の固定面内へ延びており、その固定面が第２のハウジング部分（２１）に添接するように定められている。【選択図】      図１
2005226834.tif 000002
【特許請求の範囲】
【請求項１】
サーモスタット弁であって、
蓋状のハウジング部分と共に構成ユニットを形成し、該構成ユニットが熱応動部材と、熱応動部材によって変位可能な少なくとも１つの弁部材と、リターンスプリングと、リターンスプリングを支持するための横方向部材とを有するものであって、
横方向部材（２４）は、クリップ結合（３０、３１）によってハウジング部分（１３）に固定されており、かつフラップ（３３）を有し、前記フラップがハウジング部分（１３）の固定面内へ延びており、前記固定面が第２のハウジング部分（２１）に添接するように定められていることを特徴とするサーモスタット弁。
【請求項２】
横方向部材（２４）が、ウェブ（２７）を有しており、前記ウェブがそれぞれ、熱応動部材（１０）の作動ピストン（１２）に対してほぼ平行に延びる部分（２９）を有しており、前記部分（２９）に係止突片（３０）が設けられており、前記係止突片（３０）が蓋状のハウジング部分（１３）のポケット（３１）内へ係止されていることを特徴とする請求項１に記載のサーモスタット弁。
【請求項３】
係止突片（３０）とポケット（３１）が、横方向部材（２４）の回動防止をおこなうことを特徴とする請求項２に記載のサーモスタット弁。
【請求項４】
ウェブ（２７）にフラップ（３３）が連続しており、前記フラップ（３３）がウェブ（２７）から外側へ屈曲されていることを特徴とする請求項２または３に記載のサーモスタット弁。
【請求項５】
蓋状のハウジング部分（１３）に、保持アーム（３２）が設けられており、前記保持アーム（３２）がその外側にポケット（３１）を有しており、かつ前記保持アーム（３２）は横方向部材（２４）のウェブ（２７）の、作動ピストン（１２）に対して平行に延びる部分（２９）によって把持されていることを特徴とする請求項１から４のいずれか１項に記載のサーモスタット弁。
【請求項６】
ウェブ（２７）の、作動ピストン（１２）に対して平行に延びる部分（２９）が、部分円筒状の外側輪郭を有しており、前記外側輪郭によってウェブが第２のハウジング部分（２１）内でセンタリング可能であることを特徴とする請求項２から５のいずれか１項に記載のサーモスタット弁。
【請求項７】
ウェブ（２７）とフラップ（３３）を有する横方向部材（２４）が、打ち抜いて成形された薄板成形部品であることを特徴とする請求項１から６のいずれか１項に記載のサーモスタット弁。
【請求項８】
係止突片（３０）が、薄板成形部品から切り起こされていることを特徴とする請求項７に記載のサーモスタット弁。
【請求項９】
横方向部材（２４）のウェブ（２９）に、補強ビード（２８）が形成されていることを特徴とする請求項７または８に記載のサーモスタット弁。
【発明の詳細な説明】
【技術分野】
【０００１】
本発明は、蓋状のハウジング部分と共に構成ユニットを形成するサーモスタット弁に関するものであって、その構成ユニットは、熱応動部材、熱応動部材によって変位可能な少なくとも１つの弁部材、リターンスプリングおよびリターンスプリングを支持する横方向部材を有している。
【背景技術】
【０００２】
既知のサーモスタット弁においては、蓋状のハウジング部分に突出する保持アームが取り付けられており、その保持アームのフック状の端部内に横方向部材が懸下される。この保持アームは、駆動中高い負荷にさらされるので、蓋状の構成部分は、この負荷に耐える金属または非常に価値の高いプラスチックから形成される。また、蓋状のハウジング部分が取り付けられる、第２のハウジング部分に、支持部材を設けることも知られており（たとえば、特許文献１参照）、２つのハウジング部分を組み合わせる場合に横方向部材がその支持部材に対して支持されるので、蓋状のハウジング部分の保持アームの負荷が除かれる。多くの場合において、第２のハウジング部分はエンジンブロックまたはウォーターポンプのハウジングである。従って蓋状のハウジング部分を有するサーモスタット弁のメーカーは、蓋状のハウジング部分が取り付けられる、第２のハウジング部分のメーカーでもある。従って多くの場合に、第１のハウジング部分の横方向部材の支持機能を引き受けるために、第２のハウジング部分が所定の形状を持たなければならない場合に、不都合である。
【特許文献１】ドイツ特許公報ＤＥ４４１６２４０Ｃ１
【発明の開示】
【発明が解決しようとする課題】
【０００３】
本発明の課題は、第２のハウジング部分を特別な形状にすることなく、横方向部材を確実に支持するようにすることである。
【課題を解決するための手段】
【０００４】
この課題は、横方向部材が取付け固定手段を用いてハウジング部分に固定されており、かつフラップを有し、そのフラップがハウジング部分の固定面内へ延びており、その固定面が第２のハウジング部分に添接するように定められていることによって、解決される。
【０００５】
この形成においては、横方向部材と蓋状のハウジング部分との間に唯一の取付け固定手段が設けられており、それが、構成部分が移送可能であることを保証する。組込み後に、比較的大きい力と熱的な負荷も発生した場合には、フラップが蓋状のハウジング部分と第２のハウジング部分との間に挟持されて、固定される。これが維持されるが、取付け固定手段の保持力を上回る力は、フラップ内へ導入されて、２つのハウジング部分の間の挟持によって吸収される。
【０００６】
本発明の形態においては、横方向部材はそれぞれ、熱応動部材の作動ピストンに対してほぼ平行に延びる部分を有しており、その部分に係止突片が設けられており、その係止突片が蓋状のハウジング部分のポケット内に係止される。その場合に好ましくは、係止突片とポケットは、横方向部材のための回動防止を形成する。横方向部材は、このようにして十分に固定されているので、蓋状のハウジング部分とサーモスタット弁の部分とからなる構成ユニットが移送可能となる。
【０００７】
本発明の他の形態においては、ウェブに、ウェブから外側へ屈曲されたフラップが連続している。その場合にさらに好ましくは、蓋状のハウジング部分に保持アームが設けられており、その保持アームはその外側にポケットを有しており、かつその保持アームはウェブの、作動ピストンに対して平行に延びる部分によって把持されている。さらに、好ましくは、ウェブの、作動ピストンに対して平行に延びる部分は、部分円筒の外側輪郭を有しており、その外側輪郭によってウェブは第２のハウジング部分内でセンタリング可能である。横方向部材のウェブは、蓋状のハウジング部分の保持アームと第２のハウジング部分の内壁との間に保持されるので、横方向部材のウェブは変位することはできない。さらに、横方向部材のウェブは、蓋状のハウジング部分の保持アームを介してこのハウジング部分とその中に収容されている構成部分を第２のハウジング部分に対してセンタリングする。
【０００８】
本発明の他の形態においては、ウェブとフラップを有する横方向部材は、打ち抜かれて成形された薄板成形部品である。従って安価な構造が実現される。
【発明を実施するための最良の形態】
【０００９】
本発明の他の特徴と利点は、図面に示す実施形態についての、以下の説明から明らかにされる。
【００１０】
図１のサーモスタット弁は、一部だけ示される、熱応動部材１０を有している。この熱応動部材１０は、ハウジング１１を有しており、その中には伸張物質が入っている。好ましくは所望の溶融温度に調節されたワックス混合物である、伸張物質は、それが伸張する際に作動ピストン１２をハウジング１１から押し出す。熱応動部材１０の、完全には示されていないハウジング１１は、蓋状のハウジング部分１３の突出部に固定的に支持されている。作動ピストン１２が押し出された場合に、作動ピストン１２は挿入片１４を介して弁皿１５を連動させ、その弁皿が蓋状のハウジング部分１３の弁座１６と協働する。
【００１１】
弁皿１５は、その中央の領域に、ほぼ円筒状のカラー１７を有しており、そのカラーはシール部材１８によって熱応動部材１０のハウジング１１に対してシールされている。カラー１７には、大面積の切欠きを有する領域が連続している。この領域が底へ移行し、その底内に挿入片１４が保持されている。
【００１２】
所定の温度になると、作動ピストン１２は固定的に保持されているハウジング１１から出て、弁皿１５を連動させる。その際に弁皿５が弁座１６から離れる。さらに、カラー１７がシール部材１８の領域から移動されるので、ここでも流れ断面が開放される。
【００１３】
挿入片１４上に短絡皿１９が摺動可能に保持されており、その短絡皿は第２のハウジング部分２１の短絡開口部２０に対応づけられている。第２のハウジング部分２１は、たとえば内燃機関のエンジンブロックあるいはウォーターポンプのハウジングである。短絡皿１９は、ばね２２によって付勢されている。
【００１４】
熱応動部材１０が冷えると、弁皿１５がリターンスプリング２３によって図示の位置へ復帰移動される。その場合に作動ピストン１２は再びハウジング１１内へ押し戻される。付勢されたリターンスプリング２３は、横方向部材２４によって支持されている。横方向部材２４の形状は、横方向部材２４自体を単独で示す図２から明らかにされる。横方向部材２４は、ばね皿２５を有しており、その上にリターンスプリング２３が支持されている。このばね皿２５は、内側にカラー２６を有しており、そのカラーが、弁皿１５の切欠きを有する領域のためのガイドとして用いられる。ばね皿２５には、直径方向で対向する側にウェブ２７が連続しており、そのウェブには補強ビード２８が設けられている。ウェブ２７は、それぞれ拡幅された部分２９を有しており、それらの部分は作動ピストン１２の軸線に対して平行に延びている。これらの部分２９は、部分円筒の形状を有しており、その外側は第２のハウジング部分２１の切欠きの内壁に適合されている。部分２９には、切り起こされた係止突片３０が設けられており、その係止突片３０は部分２９から内側へ向けられている。この係止突片３０がポケット３１内へ嵌入し、そのポケット３１は、蓋状のハウジング部分１３から第２のハウジング部分２１の方向へ突出する保持アーム３２に形成されている。ポケット３１は、断面において、フラップ３０の幅に相当する幅を有している。それによってポケット３１は横方向部材２４の部分２９のフラップ３０と共に回動防止の機能を発揮するので、横方向部材２４はハウジング部分１３に対して回動することはできない。部分２９の外側は、ハウジング部分２１の内壁に支持され、すなわち取付け後にこの部分はハウジング部分１３の保持アーム３２とハウジング部分２１の内壁との間に保持される。
【００１５】
横方向部材２４の、作動ピストン１２の軸線に対して平行に延びる部分２９に、外側へ屈曲されたフラップ３３が連続している。フラップ３３は、ハウジング１３の固定面内へ突出しており、その固定面はハウジング部分２１の固定面と対向している。従ってフラップ３３は、ハウジング部分１３、２１の間に挟持される。ハウジング部分１３の固定面には、それぞれフラップ３３のための切欠きが形成されており、その切欠きの深さは、フラップ３３の厚みよりも少し小さい。ハウジング部分１３は、通常、ボルトによってハウジング部分２１に固定される。固定する場合に、寸法に基づいて、フラップ３３がハウジング部分１３、２１の間に挟持されることが、保証される。ハウジング部分１３には、固定面の領域にさらに切欠きが形成されており、その切欠き内へシールリング３４が挿入され、そのシールリングがハウジング部分２１の固定面に対して圧接される。
【００１６】
本実施例においては、熱応動部材１０のハウジング１１は、固定的に支持されている。ハウジング内へ電気的な発熱素子が突出しているので、所定の状況において開口断面を増大させて、それによって冷却能力を高めるために、熱応動部材１０がその中に含まれる伸張物質に基づいて実施する温度制御に介入することができる。
【００１７】
もちろん、原理的に同様な形状の横方向部材２４を、サーモスタット弁においても設けることができ、その場合に熱応動部材は、作動ピストンが固定的に支持されるように、配置されており、１つまたは２つの弁部材を有するハウジングは、作動ピストンが熱応動部材から押し出される場合に、移動される。横方向部材２４全体は、図２に示すその形状において、複数の打抜きおよびプレスプロセスによって薄板成形部品として形成される。
【図面の簡単な説明】
【００１８】
【図１】本発明に基づくサーモスタット弁の軸断面を示している。
【図２】リターンスプリングを支持するための横方向部材を示す斜視図である。
【図３】図２のIII部分を少し拡大した寸法で示している。
【符号の説明】
【００１９】
１０    熱応動部材
１２    作動ピストン
１３    ハウジング部分
２１    第２のハウジング部分
２４    横方向部材
２７    ウェブ
２８    補強ビード
２９    ウェブ
３０    係止突片
３１    ポケット
３２    保持アーム
３３    フラップ
【図１】
2005226834.tif 000003
【図２】
2005226834.tif 000004
【図３】
2005226834.tif 000005